(57)【特許請求の範囲】
【請求項１】
ブロック本体とロアケースを備え、ブロック本体は周壁より内部側にリレー搭載部およびヒューズ搭載部を突設し、これらリレー搭載部およびヒューズ搭載部の隙間に当たる底面は空隙とし、
上記ブロック本体の下部に組みつけるロアケースは、その底壁を上記ブロック本体の隙間に嵌合される形状としていると共に、該底壁の上面にバスバーを平置き固定し、該バスバーを上記リレー搭載部およびヒューズ搭載部の隙間に沿って配置し、該バスバーの途中に細幅としたヒュージブルリンク部（大容量ヒューズ部）を設けると共に、該バスバーの一端に上記リレー搭載部、ヒューズ搭載部の端子孔に挿入するタブを屈折させて形成し、  上記タブと上記ヒュージブルリンク部との間には、上記リレー搭載部あるいはヒューズ搭載部を迂回する部分を設けて、上記ヒュージブルリンク部と上記リレー搭載部あるいはヒューズ搭載部に挿入する上記タブと離していると共に、該迂回部分を大面積として放熱部としていることを特徴とする電気接続箱。
【請求項２】
上記ヒュージブルリンク部は３０アンペア以上の過電流が流れると溶断する形状としている請求項１に記載の電気接続箱。
【発明の詳細な説明】
【０００１】
【発明の属する技術分野】
本発明は自動車に搭載されるリレーブロック等の電気接続箱に関し、特に、電源と接続するヒュージブルリンクの構成を簡単にすると共に、ヒュージブルリンクでの発熱がリレーやヒューズに影響しないようにするものである。
【０００２】
【従来の技術】
従来、自動車に搭載するバッテリーに接続されるリレーブロックは図３（Ａ）に示す構成とされており、ケース１の上面よりヒュージブルリンク搭載部２、リレー搭載部３、ヒューズ搭載部４、コネクタ搭載部５を設け、これら各搭載部２〜５にそれぞれヒュージブルリンク、リレー、ヒューズ、コネクタをプラグインで嵌合させて搭載している。該ケース１の内部には縦バスバー６を収容して、上記搭載部２〜５へと配索し、各端部に形成したタブを上記搭載部２〜５に搭載するヒュージブルリンク、リレー、ヒューズの入力側端子と接続させている。これらヒュージブルリンク、リレー、ヒューズの出力側の端子には、ケース１の底面側に設けている端子収容部（図示せず）に電線端末の端子を挿入係止して接続している。
また、図３（Ｂ）に示すように電源線ｗ１とオルタネータ行きの電線ｗ２の端末にボルト止め端子７Ａ、７Ｂを接続し、ケース内のバスバー６とボルト８Ａ、８Ｂにより結合して電気接続している。
【０００３】
上記構成のリレーブロックでは、大容量ヒューズのヒュージブルリンクをプラグインで取り付けていると共に、該ヒュージブルリンクは発熱量が大きいため、リレー、ヒューズを離れた位置に取り付けているために、リレーブロックが大型化する問題がある。
【０００４】
上記した問題に対して、図４に示すように、絶縁板上９に固定する平置きバスバー６’に細幅部からなるヒューズ部６ａ’を設け、これによりヒューズの取付を無くしてスペースの減少、部品点数の削減を図るものが提案されている。
【０００５】
【発明が解決しようとする課題】
上記構成とした場合、ヒューズ部６ａ’を３０アンペア以上で溶断する大容量ヒューズ（ヒュージブルリンク）とした場合、該ヒューズ部６ａ’の発熱量が大きいために、その近傍にリレー、ヒューズ、コネクタと接続するタブを設けると、該タブが熱影響を受けて変形し、リレー、ヒューズ、コネクタ等との電気接続性の信頼性が低下する問題がある。
よって、リレー、ヒューズ、コネクタと接続するタブをヒューズ部６ａ’より離れた位置に設けると、回路全体が大型化する問題がある。
【０００６】
さらに、上記ヒューズ部６ａ’を設けたバスバーの上方に絶縁板を積層したり、前記図３に示すリレーブロックのようにケース内に収容すると、ヒューズ部６ａ’の発熱によりケース内部が加熱する問題がある。
【０００７】
本発明は上記問題に鑑みてなされたもので、ヒュージブルリンクをバスバーに形成した場合に、リレー、ヒューズ、コネクタ等への熱影響を低減し、かつ、ケース内部におけるバスバーの配置を工夫して、小型化を図ると共にバスバーの放熱性を高めることを課題としている。
【０００８】
【課題を解決するための手段】
上記課題を解決するため、本発明は、ブロック本体とロアケースを備え、ブロック本体は周壁より内部側にリレー搭載部およびヒューズ搭載部を突設し、これらリレー搭載部およびヒューズ搭載部の隙間に当たる底面は空隙とし、
上記ブロック本体の下部に組みつけるロアケースは、その底壁を上記ブロック本体の隙間に嵌合される形状としていると共に、該底壁の上面にバスバーを平置き固定し、該バスバーを上記リレー搭載部およびヒューズ搭載部の隙間に沿って配置し、該バスバーの途中に細幅としたヒュージブルリンク部（大容量ヒューズ部）を設けると共に、該バスバーの一端に上記リレー搭載部、ヒューズ搭載部の端子孔に挿入するタブを屈折させて形成し、  上記タブと上記ヒュージブルリンク部との間には、上記リレー搭載部あるいはヒューズ搭載部を迂回する部分を設けて、上記ヒュージブルリンク部と上記リレー搭載部あるいはヒューズ搭載部に挿入する上記タブと離していると共に、該迂回部分を大面積として放熱部としていることを特徴とする電気接続箱を提供している。
【０００９】
上記ヒュージブルリンク部は３０アンペア以上の過電流が流れると溶断する所要の細幅で所要の長さを有する形状としている。
【００１０】
上記構成とすると、ヒュージブルリンク部がリレー、ヒューズと接続するタブから迂回部分で離されると共に、該迂回部分を大面積としているため、ヒュージブルリンクでの発熱によるタブへの影響を小さくすることができる。かつ、この迂回部分は空きスペースを利用しているために、迂回部分を設けることにより電気接続箱が大型化することを防止できる。
【００１１】
さらに、リレー搭載部、ヒューズ搭載部の隙間を利用してバスバーを配置しているため、電気接続箱の小型化を図ることができると共に、バスバーはロアケース上に固定されているだけで上方が開放されているため、放熱性を高めることができる。
また、前記図３ではヒュージブルリンクをプラグインで搭載している場合と比較すると、本発明では、バスバーにヒュージブルリンク部を形成しているため、ヒュージブルリンクを取り付ける必要がなく、部品点数、取付手数を削減できると共に、ヒュージブルリンク取付用のスペースも削減することができる。
【００１２】
上記各搭載部に搭載するリレー、ヒューズの入力側端子は上記バスバーのタブと接続させると共に、これらリレー、ヒューズの出力側端子は、ブロック本体に設けているリレー搭載部、ヒューズ搭載部の下部の端子収容室に挿入係止する電線端末のタブと接続させている。
さらに、上記バスバーの端部に設けたタブを電源線とオルタネータ行きの電線の端子と嵌合接続させている。
さらに、上記ブロック本体にはオプション用のリレーカセットを取り付ける空間を設け、必要に応じてリレーカセットを取り付けている。
【００１３】
上記した構成とすると、リレーブロックからなる電気接続箱の小型化、高密度化を図ることができる。
【００１４】
【発明の実施の形態】
以下、本発明の実施形態を図面を参照して説明する。
実施形態の電気接続箱は電源線と接続するリレーブロック１０からなる。
【００１５】
リレーブロック１０は図１の分解斜視図に示すように、ブロック本体１１、ロアケース１２、バスバー１３、オプション用のリレーカセット１４Ａ，１４Ｂを備えている。
【００１６】
ブロック本体１１は長方形状の周壁１１ａの内面よりリレー搭載部１５Ａ〜１５Ｆ、ヒューズ搭載部１６、オプション用カセット取付枠１７を突設している。上記リレー搭載部およびヒューズ搭載部の間には隙間２０を空けていると共に、オプション用カセット取付部１７の内部も空隙としている。さらに、周壁１１ａの内面に沿ってロアケース１２より突設する保護壁２１を挿入する筒部１８を設けている。
上記リレー搭載部１５Ａ〜１５Ｆ、ヒューズ搭載部１６にはそれぞれリレー、ヒューズ（図示せず）を差し込み接続して搭載するようにしている。
【００１７】
上記ブロック本体１１の下部に組みつけるロアケース１２の底壁１２ａは、ブロック本体１１の隙間２０に組む込む形状としている。該底壁１２ａの上面にかしめ固定するバスバー１３は底壁１２ａの形状に対応させた形状に打抜加工しており、底壁１２ａの略全面に配置している。
【００１８】
バスバー１３は導電性金属材を打抜加工した後、折り曲げ加工して図１に示す形状としており、その平置き部１３ａは上記のようにロアケース底壁１２ａの形状に沿った形状で、ブロック本体１１への組付時にはリレー搭載部１５Ａ〜１５Ｆ、ヒューズ搭載部１６の間の隙間２０に沿って配置している。
上記平置き部１３ａは隙間２０の全面に配置する広幅部１３ｂの一部に細幅に形成したヒュージブルリンク部１３ｃー１、１３ｃ−２を形成している。また、平置き部１３ｃの各先端部にリレーと接続するタブ１３ｄを上向きに屈折して形成すると共に、一側部にヒューズと接続するタブ１３ｅを並列状態で屈折して形成している。上記リレー、ヒューズ接続用のタブ１３ｄ、１３ｅは先端より圧接スロット１３ｄ−１、１３ｅ−１を切り込み、リレー搭載部１５，ヒューズ搭載部１６に搭載するリレー、ヒューズの入力側端子と接続させるようにしている。
【００１９】
さらに、平置き部１３ａの一側端より下向きに屈折させた端子１３ｆ、１３ｇを設け、ロアケース１２の底壁より突出した電線接続部１２ｃの端子収容室に突出させ、端子１３ｆは電源線ｗ１の端末に接続した雌端子Ｔ１と嵌合接続させ、端子１３ｇはオルタネータ行きの電線ｗ２の端末に接続した雌端子Ｔ２と嵌合接続させるようにしている。
【００２０】
上記電源接続用の端子１３ｆと上記リレー、ヒューズと接続するタブ１３ｄ、１３ｅとを結ぶ回路の途中に上記ヒュージブルリンク部１３ｃが位置し、電源とリレー、ヒューズとはヒュージブルリンク部１３ｃを介して接続された構成となる。
【００２１】
上記ヒュージブルリンク部１３ｃ−１は細幅のＬ形状としており、リレー搭載部１５Ａに接続するタブ１３ｄ−Ｉとの間に迂回部分１３ｈ（図中、斜線で示す）を設け、該迂回部分１３ｈを大面積としている。
また、ヒュージブルリンク部１３ｃ−２は細幅のＳ文字形状とし、リレー搭載部１５Ｂに接続するタブ１３ｄ−ＩＩと迂回部分１３ｉを介して連続させ、該迂回部分１３ｉを大面積としている。
上記大面積の迂回部分１３ｈ、１３ｉはいずれも隙間２０に当たる空きスペースであり、よって、迂回部分１３ｈ、１３ｉを設けることによりボックスの外形が大きくならない。
上記ヒュージブルリンク部１３ｃ（１３ｃ−１、１３ｃ−２）はいずれも３０アンペア以上の大電流が流れると溶断する大容量ヒューズからなる。
【００２２】
上記構成からなるリレーボックスでは、ロアケース１２の底壁１２ａ上にバスバー１３をかしめ固定した状態でブロック本体１１の下部に組みつけ、保護壁２１を筒部１８に挿入して位置決め保持した状態でロック結合する。
このブロック本体１１へのロアケース１２の組みつけで、バスバー１３はブロック本体１１に設けられたリレー搭載部１５、ヒューズ搭載部１６の間の隙間に沿って配置され、バスバー１３より屈折させて形成したリレー用タブ１３ｄはリレー搭載部１５の端子孔に、ヒューズ用タブ１３ｅはヒューズ搭載部１６の端子孔に挿入係止される。
【００２３】
上記リレー搭載部１５、ヒューズ搭載部１６にリレー、ヒューズを搭載して、これらの端子を搭載部の上面に開口した端子孔より挿入すると、入力側端子がバスバー１３のタブ１３ｄ、１３ｅと接続される。
リレー、ヒューズの出力側端子は、リレー搭載部１５、ヒューズ搭載部１６の下部に形成された電線接続部に挿入係止させる電線端末の端子と接続される。
このように、リレー、ヒューズを搭載した後に、ブロック本体１１の上面にはアッパーケース（図示せず）が被せられる。
【００２４】
リレーボックスを上記構成とすると、ヒュージブルリンク部１３ｃ（１３ｃ−１、１３ｃ−２）が存在する位置がリレー用の端子１３ｄより離れた位置にあり、かつ、大面積の迂回部分１３ｈ、１３ｉを介在させているため、ヒュージブルリンク部１３ｃでの発熱は迂回部分１３ｈ、１３ｉで放熱できる。よって、リレー接続用端子１３ｄに対するヒュージブルリンク部１３ｃの発熱の影響を小さくすることができ、端子１３ｄが熱変形してリレーとの電気接続信頼性が低下するこを防止できる。
【００２５】
さらに、電源とリレー、ヒューズとを接続するバスバー１３をリレー搭載部１５、ヒューズ搭載部１６の隙間２０に沿って配索しているため、バスバー配索用のスペースを特に設ける必要はなく、かつ、バスバー１３自体も小型化することができる。さらに、バスバーはロアケース１２の底壁上に固定して隙間２０に配置し、アッパーケースで覆われる上方が開放されているため放熱性を高めることができる。また、ヒュージブルリンクを搭載していた場合と比較して、バスバーにヒュージブルリンク部を形成しているため、ヒュージブルリンク搭載部を無くすことができ、その点からもリレーブロックの小型化および部品点数の削減、組付作業性を高めることができる。
【００２６】
なお、上記実施形態はリレーブロックに適用しているが、リレーブロックに限定されず、他の電気接続箱にも適用することができる。
【００２７】
【発明の効果】
以上の説明より明らかなように、本発明のリレーブロック等からなる電気接続箱では、搭載部品の隙間を利用して配置するバスバーに細幅としたヒュージブルリンク部を形成しているが、該ヒュージブルリンク部と搭載部に接続するタブとの間に大面積の迂回部分を設けているため、タブへのヒュージブルリンク部で発生する熱影響を小さくすることができる等の種々の利点を有するものである。
【図面の簡単な説明】
【図１】  本発明の実施形態に係わるリレーブロックの分解斜視図である。
【図２】  バスバーの展開図である。
【図３】  従来のリレーブロックを示し、（Ａ）は平面図、（Ｂ）は側面図である。
【図４】  従来のバスバーにヒューズ部を設けた斜視図である。
【符号の説明】
１０  リレーブロック
１１  ブロック本体
１２  ロアケース
１２ａ  底壁
１３  バスバー
１３ａ  平置き部
１３ｃ  ヒュージブルリンク部
１３ｄ  リレー接続用タブ
１３ｅ  ヒューズ接続用タブ
１３ｆ  電源接続用タブ
１３ｇ、１３ｈ  迂回部分
１５Ａ〜１５Ｆ  リレー搭載部
１６    ヒューズ搭載部
２０  隙間
【図１】
0003867525.tif 000002
【図２】
0003867525.tif 000003
【図３】
0003867525.tif 000004
【図４】
0003867525.tif 000005